(57)【要約】【課題】本発明の課題は、発光タイミングや発光部位および発光回数の調整が可能であり、使用時の安全性の向上、使用方法の範囲拡大、再利用による維持コスト削減が可能となる電気式の閃光発生器を提供することにある。【解決手段】本発明は、複数箇所に設置され、電力が供給されて赤外光または可視光を発光する発光部１２と、前記発光部１２に電力を供給する電源部１４と、前記電源部１４から前記発光部１２への電力供給をオンまたはオフするスイッチ回路１３と、前記発光部１２の発光タイミング、発光部位、および発光回数を選択設定すると共に選択設定した情報を出力する切り替えスイッチ１６と、前記切り替えスイッチ１６からの情報および安全装置解除信号が入力され、前記スイッチ回路１３のオン・オフを制御して前記発光部１２の発光タイミング、発光部位、および発光回数を制御する制御部１５とを具備することを特徴とするものである。【選択図】図１
2010025383.tif 000002
【特許請求の範囲】
【請求項１】
複数箇所に設置され、電力が供給されて赤外光または可視光を発光する発光部と、
前記発光部に電力を供給する電源部と、
前記電源部から前記発光部への電力供給をオンまたはオフするスイッチ回路と、
前記発光部の発光タイミング、発光部位、および発光回数を選択設定すると共に選択設定した情報を制御部に入力するための切り替えスイッチと、
前記切り替えスイッチからの情報および安全装置解除信号が入力され、前記スイッチ回路のオン・オフを制御して前記発光部の発光タイミング、発光部位、および発光回数を制御する制御部と
を具備することを特徴とする閃光発生器。
【発明の詳細な説明】
【技術分野】
【０００１】
本発明は、電力が供給されて赤外光または可視光の閃光を発光し、発光タイミングや発光部位および発光回数の調整が可能である電気式の閃光発生器に関するものである。
【背景技術】
【０００２】
従来、軍事訓練の作戦行動時における制圧装置等として、敵に占拠された室内への突入時に使用し、閃光により敵をひるませるために使用する、特殊閃光手榴弾（スタングレネード）がある。この特殊閃光手榴弾は化学反応により閃光を発生させているため以下の問題点がある。
【０００３】
（１）  爆発不良（化学反応不良）・投擲ミスなどにより火災や怪我のリスクなどがある。
【０００４】
（２）  上記理由により安全面に対する初期訓練の徹底が必須である。
【０００５】
（３）  交換部品・予備装薬（化学反応剤）など交換の手間・維持コストが必要である。
【０００６】
（４）  爆発時には全周囲に爆発音・閃光が広がるため、周囲の人（敵）に察知されやすい（特に夜間使用時には閃光が目立つ）。
【０００７】
（５）  化学反応であるため部品交換をしないと再利用できない。
【０００８】
（６）  爆発タイミングが固定であり、タイミング調整をする場合は投擲のタイミングをずらす必要があり（投擲者が時間を計る）、安全面的に爆発ぎりぎりまでは遅らせることができない。
【特許文献１】特許第３６６５２８０号公報
【発明の開示】
【発明が解決しようとする課題】
【０００９】
本発明は上記の事情に鑑みてなされたもので、発光タイミングや発光部位および発光回数の調整が可能であり、使用時の安全性の向上、使用方法の範囲拡大、再利用による維持コスト削減が可能となる電気式の閃光発生器を提供することを目的とする。
【課題を解決するための手段】
【００１０】
上記目的を達成するために本発明の閃光発生器は、複数箇所に設置され、電力が供給されて赤外光または可視光を発光する発光部と、前記発光部に電力を供給する電源部と、前記電源部から前記発光部への電力供給をオンまたはオフするスイッチ回路と、前記発光部の発光タイミング、発光部位、および発光回数を選択設定すると共に選択設定した情報を制御部に入力するための切り替えスイッチと、前記切り替えスイッチからの情報および安全装置解除信号が入力され、前記スイッチ回路のオン・オフを制御して前記発光部の発光タイミング、発光部位、および発光回数を制御する制御部とを具備することを特徴とするものである。
【発明の効果】
【００１１】
本発明の閃光発生器は、発光タイミングや発光部位および発光回数の調整が可能であり、使用時の安全性の向上、使用方法の範囲拡大、再利用による維持コスト削減が可能となる。
【発明を実施するための最良の形態】
【００１２】
以下図面を参照して本発明の実施の形態を詳細に説明する。
【００１３】
図１は本発明の実施形態に係る閃光発生器を示す構成説明図である。図１において、１１は閃光発生器、１２は発光部、１３はスイッチ回路、１４は電源部、１５は制御部、１６は切り替えスイッチ、Ｓは安全装置解除信号、Ｐは動作プログラムであり、前記発光部１２、電源部１４、および切り替えスイッチ１６は１個または複数個設けられる。
【００１４】
図１に示すように、発光部１２は電力が供給されて赤外光または可視光の閃光を発生する例えば再利用可能な発光ＬＥＤまたは電球であり、前記発光部１２には例えば電池または充電された大容量コンデンサ等よりなる電源部１４から半導体回路のスイッチ回路１３を介して電力が供給される。前記発光部１２は閃光発生器１１を含んで構成される閃光手榴弾に複数箇所設置される。前記スイッチ回路１３は前記電源部１４から前記発光部１２へ電力を供給（オン）または遮断（オフ）する。前記スイッチ回路１３は制御部１５からのスイッチ制御信号でオン・オフが制御され、前記発光部１２の発光タイミングや発光部位および発光回数等を制御する。前記制御部１５は切り替えスイッチ１６の出力情報および安全装置解除信号Ｓを元にスイッチ回路１３のオン・オフを制御するスイッチ制御信号をスイッチ回路１３に出力する。前記切り替えスイッチ１６は前記発光部１２の発光タイミングや発光部位および発光回数等を選択設定すると共に、選択設定した情報を制御部１５に出力する。前記安全装置解除信号Ｓは閃光発生器１１を含んで構成される閃光手榴弾に設けられた安全装置が取外されて解除したときに、制御部１５に入力される。
【００１５】
すなわち、閃光発生器１１を含んで構成される閃光手榴弾の投擲準備として切り替えスイッチ１６により以下の設定を行う。
【００１６】
・安全装置解除後の発光遅延時間
・発光回数
・発光部位
尚、制御部１５をハードウェアではなくソフトウェアで構成している場合は、切り替えスイッチ１６により設定が困難な複雑な動作は動作プログラムとして装置外部Ｉ／Ｆ（インターフェイス）からダウンロードする。動作プログラムを使用する場合は各切り替えスイッチ１６を動作プログラム使用に設定する。
【００１７】
準備完了後、閃光発生器１１を含んで構成される閃光手榴弾に設けられた安全装置を解除すると設定された動作で発光部１２が光るため予測（防御）がし難くなる。
【００１８】
以上のように本発明の実施形態によれば、発光部１２を電気発光式とすることにより安全性が向上すると共に、再利用が可能となる。また、制御部１５および切り替えスイッチ１６（動作プログラム）により発光タイミングの調整が可能になり、投擲者は時間を計らずとも即座に投擲することが可能になる。さらに、切り替えスイッチ１６（動作プログラム）により発光部位毎に発光タイミングおよび発光回数が調整可能となり、従来品にはない敵の予想外の動作をすることにより、敵をひるませる効果が向上する。また、発光部位が設定可能であるため必要な方向のみ発光させられること、電気式であるため発光時に爆発音がしないことから周囲の人（敵）に察知されにくくなる。また、化学反応式のように爆発しないため近傍で爆発したとしても目を隠していれば人体に害はない。また、切り替えスイッチ１６により、安全装置解除後の発光遅延時間が変更可能になり、これにより爆発させたいタイミングによって投擲動作を調整する必要が無くなる。
【００１９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２０】
【図１】本発明の実施形態に係る閃光発生器を示す構成説明図である。
【符号の説明】
【００２１】
１１…閃光発生器、１２…発光部、１３…スイッチ回路、１４…電源部、１５…制御部、１６…切り替えスイッチ。
【図１】
2010025383.tif 000003